(57)【要約】【課題】ブレーカのハンドルと電動操作装置のアームの位置合わせが容易で、極数の異なるブレーカにも容易に対応できるブレーカの電動操作装置を提供する。【解決手段】ハンドルを操作してブレーカの開閉操作を行うブレーカの電動操作装置において、電動操作装置の絶縁材よりなるベース部材１にブレーカ取付部１２を一体に設けた。ブレーカ取付幅を延長する連結取付部１８を着脱自在に取り付けて極数の異なるブレーカに対応できるようにする。【選択図】図１
2004014432.tif 000002
【特許請求の範囲】
【請求項１】
ブレーカのハンドルを操作してブレーカの開閉操作を行うブレーカの電動操作装置において、電動操作装置の絶縁材よりなるベース部材にブレーカ取付部が一体に設けられていることを特徴とするブレーカの電動操作装置。
【請求項２】
ブレーカ取付部にそのブレーカ取付幅を延長する連結取付部を着脱自在に連結できるようにした請求項１に記載のブレーカの電動操作装置。
【発明の詳細な説明】
【０００１】
【発明の属する技術分野】
本発明は、ブレーカのハンドルを操作してブレーカの開閉操作を行うブレーカの電動操作装置に関するものである。
【０００２】
【従来の技術】
ブレーカの電動操作装置は、人のいる場所から離れた場所に設置される道路の標示装置やダムの操作装置等に組み込まれたブレーカを操作する遠隔制御装置やブレーカがトリップした場合にブレーカを指定回数だけ自動的に再投入する自動再投入装置に使用されている。このようなブレーカの電動操作装置の代表的なものとしては、図２０に示すような機器取付板の上にブレーカと電動操作装置とを並べて取り付けたものがあるが、このようなものはブレーカのハンドルと電動操作装置のアームの位置関係を正確に合わせる必要があるために位置を調整しながら取り付けなければならず、このために組み立てに多くの工数を要するという問題があった。また、ブレーカは極数によって横幅が異なるためにブレーカの極数に対応する複数種類の機器取付板を用意しなければならなかった。
【０００３】
これに対し、ブレーカの前面から被せてブレーカに取り付ける電動操作装置も見られるが、ブレーカの前面から電動操作装置を取り付ける場合には、ブレーカのハンドルと電動操作装置のアームとの位置合わせは容易であっても、電動操作装置をブレーカに取り付けた状態では全体の奥行き寸法が大きくなり、組み込まれる筐体の大型化が避けられないという問題があり、また、ブレーカの正面が覆われるためにブレーカの状態を確認するための表示部を設けなくてはならなかった。
【０００４】
【発明が解決しようとする課題】
本発明は上記の問題点を解決し、ブレーカのハンドルと電動操作装置のアームの位置合わせが容易で、極数の異なるブレーカにも容易に対応できるブレーカの電動操作装置を提供するためになされたものである。
【０００５】
【課題を解決するための手段】
上記の課題を解決するためになされた本発明のブレーカの電動操作装置は、ブレーカのハンドルを操作してブレーカの開閉操作を行うブレーカの電動操作装置において、電動操作装置の絶縁材よりなるベース部材にブレーカ取付部が一体に設けられていることを特徴とするものである。なお、前記したブレーカ取付部にそのブレーカ取付幅を延長する連結取付部を着脱自在に連結できるようにしておくことが好ましい。
【０００６】
【発明の実施の形態】
次に、本発明の実施の形態について図を参照しながら具体的に説明する。
図１乃至図３は本発明のブレーカの電動操作装置の外観を示すもので、この電動操作装置は、右側部分にベース本体部分２が配置され、左側部分にはブレーカ取付部１２が配置されるように合成樹脂などの絶縁材によって一体成形されたベース部材１の前記したベース本体部分２に内蔵される電動操作装置の機構部分を含む電動操作装置本体を搭載したものとしてある。なお、電動操作装置の機構部分の構成は特に限定されるものではないが、図示例では横方向に摺動自在としたアーム３を設けてあり、このアーム３の先端には後側を開放したハンドル把持部４を設けて、アーム３が電動機の正逆転により上下方向に揺動するものとしてある。そして、アーム３は長手方向にスライド自在となっており、取付時や、電動操作装置を切り離してブレーカを手動操作する際に役立つ。
【０００７】
また、ベース部材１の背面４隅にはベース部材１を部品取付板に取り付けるための固定部５、５が設けてあり、また、ベース部材１のベース本体部分２の表側には自動、手動を切り替える切り替えスイッチ６と、機能を設定するＤＩＰスイッチ７と、手動操作用押しボタンスイッチ８と、ブレーカの警報接点や遠方に設置される遠方スイッチを接続する接続端子９と、電動操作装置の電源入力側に挿入されるヒューズ１０と、電動操作装置の動作回数やトラブル発生時の要因を表示する表示器１１等の従来の電動操作装置に設けられている部品が設けられている。
【０００８】
さらに、ベース部材１の左側部分に設けられているブレーカ取付部１２にはブレーカ支承部１３が設けてあり、このブレーカ支承部１３を利用してブレーカを取付けできるようにしてある。なお、このブレーカとしては従来より電動操作装置に取り付けて使用するブレーカと同様のものでよく、例えば、市販されているＪＩＳに規定された協約形のブレーカなどが好ましい。また、前記したブレーカ取付部１２に設けたブレーカ支承部１３はブレーカの取付ベース部に係合する形状とされていて、これにブレーカの取付ベース部の下側を係合させることによりブレーカがブレーカ取付部１２に対して位置決めされるようにしてある。また、前記したブレーカ取付部１２の上部にはブレーカ固定孔１４、１４が設けられているとともに、下部にはブレーカ固定孔１５とリード線固定用フック１６が設けられている。さらに、このブレーカ取付部１２の左側面にはこのブレーカ取付部１２のブレーカ取付幅を延長するための連結取付部１８を係合させるための連結部１７が設けてある。
【０００９】
図４乃至図７は前記した連結取付部１８を示すもので、連結取付部１８にはその下部にブレーカ取付部１２の下側に係合するブレーカ支承部１９とリード線固定用フック２０が設けられるとともに、上部にブレーカ固定孔２１が設けられ、また、右側面にブレーカ取付部１２の連結部１７と係合する連結部２２が設けられるとともに、左側面には別の連結取付部１８と係合する連結部２３が設けられていて、これらによってブレーカ取付部１２の連結部１７に連結取付部１８の連結部２２を係合させてブレーカ取付部１２に連結取付部１８を連結させることができる。さらに、連結取付部１８の連結部２３には別の連結取付部１８の連結部２２を係合させて連結取付部１８に別の連結取付部１８を連結させることができるものとしてある。
【００１０】
２４は前記のように構成した電動操作装置のベース部材１の一側のブレーカ取付部１２に取り付けられるブレーカである。図８乃至図１０は２極のブレーカ２４を取り付けた状態を示しており、ブレーカ２４の取付ベース部材の下側をブレーカ支承部１３に係合させるとブレーカ２４が位置決めされるので、ブレーカ２４の取付孔２５に挿入したねじをブレーカ固定孔１４、１５にねじ込んで固定する。このようにしてブレーカ２４を取り付けアーム３をブレーカ２４のハンドル２６がハンドル把持部４により把持された状態としておく。ブレーカ２４の警報接点のリード線は、図１１に示すようにリード線固定用フック１６で固定して接続端子９につなぎ込み、また、電動操作装置の電源リード線はブレーカ２４の電源側端子につなぎ込む。
【００１１】
また、切り替えスイッチ６の選択及びＤＩＰスイッチ７の設定により、手動操作用押しボタンスイッチ８もしくは遠方に設置される遠方スイッチを操作するとアーム３が上下方向に揺動する。ブレーカ２４が位置決めされることによってブレーカ２４のハンドル２６とアーム３は正確に位置合わせされることとなり、このアーム３のハンドル把持部４により把持されるブレーカ２４のハンドル２６はアーム３の揺動に従動して円滑に開閉操作されることとなる。
【００１２】
なお、３極のブレーカ２４を取り付ける場合には、先ず、ブレーカ取付部１２の連結部１７に連結取付部１８の連結部２２を係合させて、図１２に示すようにブレーカ取付部１２に連結取付部１８を連結させる。図１３乃至図１５は３極のブレーカ２４を取り付けた状態を示すもので、ブレーカ２４の取り付けベース部材の下側をブレーカ支承部１３、１９に係合させるとブレーカ２４が位置決めされる。この状態でブレーカ２４の上側からブレーカ取付金具２７を当接し、ブレーカ取付金具２７の取付孔に挿入したねじをブレーカ固定孔１４、２１にねじ込んで固定する。
【００１３】
このように３極のブレーカ２４を取り付けた電動操作装置も、図８乃至図１０に示すものと同様にアーム３をブレーカ２４のハンドル２６がハンドル把持部４により把持された状態とし、ブレーカ２４の警報接点のリード線を接続端子９につなぎ込み、図示は省略したが、ブレーカ２４の警報接点のリード線はベース部材１のリード線固定用フック１６と連結取付部８のリード線固定用フック２０に固定させ、電動操作装置の電源リード線をブレーカ２４の電源側端子につなぎ込んでおく。この場合にもブレーカ２４が位置決めされることによってブレーカ２４のハンドル２６とアーム３が正確に位置合わせされ、手動操作用押しボタンスイッチ８もしくは遠方に設置される遠方スイッチの操作によるアーム３の揺
【００１４】
ここにおいて、連結取付部１８はブレーカ取付金具２７によって連結されるからブレーカ取付部１２から離脱することはない。図１６は連結取付部１８がブレーカ取付金具２７によってブレーカ取付部１２に連結された状態を示すもので、図１６ではブレーカ２４が除いてある。なお、ブレーカ２４のブレーカ取付部１２に面する部分と連結取付部１８に面する部分の両方にブレーカの取付孔がある場合には、それぞれの取付孔に挿入したねじをブレーカ取付部１２及び連結取付部１８に設けたブレーカ固定孔１４、２１にねじ込んで固定し、連結取付部１８をブレーカ取付部１２に連結することができる。
【００１５】
図１７は以上で説明した図４乃至図６に示す実施の形態におけるベース部材１の断面を示すものであるが、例えば、図１８及び図１９に示すような構成とすることもできる。図１８に示すものはベース部材１にブレーカを入れる孔部２９を設けるとともにブレーカ２４の左側に絶縁物からなる側壁２８を設けてあり、ブレーカ２４と部品取付板との間の絶縁をさらに強化することができるものである。また、図１９に示すものはベース部材１にブレーカを入れる孔部２９を設けるとともにブレーカ２４の左側に絶縁物からなる側壁２８を設けベース部材１の内部の空間を大きくしてあり、ブレーカ２４と部品取付板との間の絶縁をさらに強化するとともに電動操作装置の機構部及び制御回路部に充分なスペースを確保できるものとしてある。さらに、図１８及び図１９に示すような側壁２８を設けたものは、側壁２８を着脱自在として側壁２８を外した状態で連結取付部１８を連結させ、側壁２８を連結取付部１８の左側に取り付けることができる。
【００１６】
連結取付部１８の両側に連結部２２、２３を設けた場合には連結取付部１８を任意の個数連結することができるので、電動操作装置にコントロールユニットを付設する場合には当該コントロールユニットの幅寸法に合わせて所要個数の連結取付部１８を連結し、コントロールユニットを取り付けることができ、このようにコントロールユニットを連結取付部１８に取り付けることによってコントロールユニットの対地絶縁性能が向上し、別途取付ベースとブレーカの間に絶縁材を設けなくてもよい。これによりユニット単体で耐雷トランスの１次側に使用しても絶縁強調を保つことができる。なお、リード線固定用フック１６及び２０を設けた場合には、ブレーカ２４の警報接点のリード線はリード線固定用フック１６で固定でき、また、コントロールユニットのリード線はリード線固定用フック２０で固定できるので、結束バンド等の部品を使用して固定する必要がなく、負荷側の電線取付の邪魔にならないものとなる。
【００１７】
【発明の効果】
本発明は以上の説明から明らかなように、電動操作装置の絶縁材よりなるベース部材にブレーカ取付部が一体に設けられていて、ブレーカは電動操作装置の絶縁材よりなるベース部材の一部に取り付けられることとなるので、充分な対地絶縁性能を確保できる。また、極数の異なるブレーカを取り付ける場合には、ブレーカ取付部にそのブレーカ取付幅を延長する連結取付部を着脱自在に取り付ければよいので、複数種類の取付板を用意する必要がない利点もある。
従って、本発明は従来の問題を全て解決したブレーカの電動操作装置を提供するものとして業界に寄与するところ極めて大である。
【図面の簡単な説明】
【図１】本発明の実施の形態を示す正面図である。
【図２】本発明の実施の形態を示す側面図である。
【図３】本発明の実施の形態を示す底面図である。
【図４】連結取付部の外観を示す正面図である。
【図５】連結取付部の外観を示す右側面図である。
【図６】連結取付部の外観を示す左側面図である。
【図７】連結取付部の外観を示す底面図である。
【図８】ブレーカを取り付けた状態を示す正面図である。
【図９】ブレーカを取り付けた状態を示す側面図である。
【図１０】ブレーカを取り付けた状態を示す底面図である。
【図１１】リード線を接続した状態を示す正面図である。
【図１２】連結取付部を連結した状態を示す正面図である。
【図１３】ブレーカを取り付けた状態を示す正面図である。
【図１４】ブレーカを取り付けた状態を示す側面図である。
【図１５】ブレーカを取り付けた状態を示す底面図である。
【図１６】ブレーカ取付金具を取り付けた状態を示す正面図である。
【図１７】ベース部材の横断底面図である。
【図１８】ベース部材の別の例を示す横断底面図である。
【図１９】ベース部材のさらに別の例を示す横断底面図である。
【図２０】従来の電動操作装置の代表例を示す斜視図である。
【符号の説明】
１　ベース部材
２　ベース本体部分
１２　ブレーカ取付部
１３　ブレーカ支承部
１８　連結取付部
２４　ブレーカ
２７　ブレーカ取付金具
【図１】
2004014432.tif 000003
【図２】
2004014432.tif 000004
【図３】
2004014432.tif 000005
【図４】
2004014432.tif 000006
【図５】
2004014432.tif 000007
【図６】
2004014432.tif 000008
【図７】
2004014432.tif 000009
【図８】
2004014432.tif 000010
【図９】
2004014432.tif 000011
【図１０】
2004014432.tif 000012
【図１１】
2004014432.tif 000013
【図１２】
2004014432.tif 000014
【図１３】
2004014432.tif 000015
【図１４】
2004014432.tif 000016
【図１５】
2004014432.tif 000017
【図１６】
2004014432.tif 000018
【図１７】
2004014432.tif 000019
【図１８】
2004014432.tif 000020
【図１９】
2004014432.tif 000021
【図２０】
2004014432.tif 000022